(57)【要約】【課題】板状体の長さ方向の採り幅が小さくて済み、吊り下げ強度が増大された包装箱を提供すること。【解決手段】板状体２９は、吊り下げフック穴としての開口部１８及び開口部１９と、切り込み部２０と、折り曲げ部２１と、折り曲げ部２２と、補強部２３と、切り込み部２４と、切り込み部２５と、折り曲げ部２６と、折り曲げ部２７と、係止部２８と、を備え、切り込み部２０は、筒状体３４の長さ方向に沿って開口部１８よりも筒状体３４の中心寄りに位置し側面部２の両側に隣接する側面部１側面部３間に渡り側面部２を横切って形成される。【選択図】      図１
2004175381.tif 000002
【特許請求の範囲】
【請求項１】
１枚の板状体が折り曲げられて４つの側面部を有する筒状体に組み立てられる包装箱であって、前記４つの側面部のうちの１つである第１の側面部の前記筒状体の長さ方向における端部に形成される第１の開口部と、前記第１の側面部に対向する第２の側面部に前記第１の開口部に対向するように形成される第２の開口部と、前記長さ方向に沿って前記第１の開口部よりも前記筒状体の中心寄りに位置し前記第１の側面部の両側に隣接する第３及び第４の側面部間に渡り前記第１の側面部を横切って形成される第１の切り込み部と、前記第１の切り込み部と前記筒状体の縁辺との間の部分であり前記筒状体の内側に折り込まれる補強部と、底蓋部と、を備えることを特徴とする包装箱。
【請求項２】
前記長さ方向に沿って前記第１の切り込み部よりも前記筒状体の中心寄りに位置し前記板状体の折り曲げ部に形成される第２及び第３の切り込み部と、前記第２の切り込み部と前記第３の切り込み部との間の部分であり前記筒状体の内側に折り込まれる第１の係止部と、を備えることを特徴とする請求項１記載の包装箱。
【請求項３】
前記長さ方向に沿って前記第１の切り込み部よりも前記筒状体の中心寄りに位置し前記板状体の折り曲げ部に形成される第２の切り込み部と、前記第１の切り込み部と前記第２の切り込み部との間の部分であり前記筒状体の内側に折り込まれる第１の係止部と、を備えることを特徴とする請求項１記載の包装箱。
【請求項４】
前記底蓋部の代わりに、前記長さ方向に沿って前記筒状体の前記第１の開口部とは反対側の端部に位置し前記板状体の折り曲げ部に形成される第４の切り込み部と、前記第４の切り込み部と前記筒状体の縁辺との間の部分であり前記筒状体の内側に折り込まれる第２の係止部と、を備えることを特徴とする請求項１から請求項３までのうちの何れか１項記載の包装箱。
【請求項５】
前記筒状体に直管形蛍光ランプが収納され、前記第１の係止部と前記底蓋部とにより前記直管形蛍光ランプの移動が抑えられることを特徴とする請求項２又は請求項３記載の包装箱。
【請求項６】
前記底蓋部の代わりに、前記長さ方向に沿って前記筒状体の前記第１の開口部とは反対側の端部に位置し前記板状体の折り曲げ部に形成される第４の切り込み部と、前記第４の切り込み部と前記筒状体の縁辺との間の部分であり前記筒状体の内側に折り込まれる第２の係止部と、を備え、前記筒状体に直管形蛍光ランプが収納され、前記第１の係止部と前記第２の係止部とにより前記直管形蛍光ランプの移動が抑えられることを特徴とする請求項２又は請求項３記載の包装箱。
【発明の詳細な説明】
【０００１】
【発明の属する技術分野】
本発明は、包装箱に関し、特に直管形蛍光ランプなどの長尺物品の包装箱に関する。
【０００２】
【従来の技術】
店頭などの商品陳列棚に設置された吊り下げフックに引っ掛けて商品展示を行うための従来の直管形蛍光ランプの包装箱の一例として図６に示す構成が知られている。図６に示すように、従来例の包装箱は、１枚の板状体を折り曲げて４つの側面部を有する筒状体として組み立てられる。そして、吊り下げ強度の増大させるために折り曲げ部１０３を軸として折り返され重ねられた吊り下げ部１０２及び吊り下げ部１０４が１つの側面部１０１と一体に形成されて備えられ、直管形蛍光ランプ１０９が収納された後に側面部１０１の対向面である側面部１０７に備えられた上蓋部１０８の折り曲げられた端部が吊り下げ部１０４を押えながら差し込まれるようになっている。また、吊り下げ部１０２には開口部１０５が備えられ、吊り下げ部１０４には開口部１０６が備えられて、吊り下げ部１０２及び吊り下げ部１０４が重ねられたとき、開口部１０５及び開口部１０６が重なるようになっている（例えば特許文献１参照。）。
【０００３】
【特許文献１】
特開平５−３１４９４９号公報（図１）
【０００４】
【発明が解決しようとする課題】
ところが、図７に示すように、吊り下げ部１０２及び吊り下げ部１０４が筒状体の長さ方向に沿って側面部１０１が延長される形状で一体形成しなければならないため、吊り下げ部１０２及び吊り下げ部１０４を形成するだけのためにその分だけ板状体の長さ方向の寸法を大きく採らなければならないという問題がある。特に直管形蛍光ランプのような長尺物品の場合は、その製造設備規模上の制限からできる限り板状体の長さ方向の採り幅を小さくする必要がある。
【０００５】
また、吊り下げ部１０２及び吊り下げ部１０４は側面部１０１と同じ幅しか有していないため、板状断面を有するような吊り下げフックに適合するように横長穴状の開口部１０５及び開口部１０６を形成する場合、開口部１０５及び開口部１０６の左右端部から吊り下げ部１０２及び吊り下げ部１０４の左右端部までの寸法余裕が確保できずに吊り下げ部１０２及び吊り下げ部１０４の吊り下げ強度が低下してしまうという問題も発生する。
【０００６】
本発明は、かかる問題点に鑑みてなされたものであって、板状体の長さ方向の採り幅が小さくて済み、吊り下げ強度が増大された包装箱を提供することを目的とする。
【０００７】
【課題を解決するための手段】
本発明の包装箱は、１枚の板状体が折り曲げられて４つの側面部を有する筒状体に組み立てられる包装箱であって、前記４つの側面部のうちの１つである第１の側面部の前記筒状体の長さ方向における端部に形成される第１の開口部と、前記第１の側面部に対向する第２の側面部に前記第１の開口部に対向するように形成される第２の開口部と、前記長さ方向に沿って前記第１の開口部よりも前記筒状体の中心寄りに位置し前記第１の側面部の両側に隣接する第３及び第４の側面部間に渡り前記第１の側面部を横切って形成される第１の切り込み部と、前記第１の切り込み部と前記筒状体の縁辺との間の部分であり前記筒状体の内側に折り込まれる補強部と、底蓋部と、を備えることを特徴とする。
【０００８】
また、前記長さ方向に沿って前記第１の切り込み部よりも前記筒状体の中心寄りに位置し前記板状体の折り曲げ部に形成される第２及び第３の切り込み部と、前記第２の切り込み部と前記第３の切り込み部との間の部分であり前記筒状体の内側に折り込まれる第１の係止部と、を備えることを特徴とする。
【０００９】
また、前記長さ方向に沿って前記第１の切り込み部よりも前記筒状体の中心寄りに位置し前記板状体の折り曲げ部に形成される第２の切り込み部と、前記第１の切り込み部と前記第２の切り込み部との間の部分であり前記筒状体の内側に折り込まれる第１の係止部と、を備えることを特徴とする。
【００１０】
また、前記底蓋部の代わりに、前記長さ方向に沿って前記筒状体の前記第１の開口部とは反対側の端部に位置し前記板状体の折り曲げ部に形成される第４の切り込み部と、前記第４の切り込み部と前記筒状体の縁辺との間の部分であり前記筒状体の内側に折り込まれる第２の係止部と、を備えることを特徴とする。
【００１１】
また、前記筒状体に直管形蛍光ランプが収納され、前記第１の係止部と前記底蓋部とにより前記直管形蛍光ランプの移動が抑えられることを特徴とする。
【００１２】
また、前記底蓋部の代わりに、前記長さ方向に沿って前記筒状体の前記第１の開口部とは反対側の端部に位置し前記板状体の折り曲げ部に形成される第４の切り込み部と、前記第４の切り込み部と前記筒状体の縁辺との間の部分であり前記筒状体の内側に折り込まれる第２の係止部と、を備え、前記筒状体に直管形蛍光ランプが収納され、前記第１の係止部と前記第２の係止部とにより前記直管形蛍光ランプの移動が抑えられることを特徴とする。
【００１３】
【発明の実施の形態】
次に本発明の実施の形態を図面を参照して説明する。先ず本発明の第１の実施の形態の包装箱の構成について図１、図２及び図３を参照して説明する。図１は本発明の第１の実施の形態の包装箱の展開図であり、図２は本発明の第１の実施の形態の包装箱の斜視図であり、図３（ａ）は本発明の第１の実施の形態の包装箱の正面図であり、図３（ｂ）は本発明の第１の実施の形態の包装箱の平面図であり、図３（ｃ）は本発明の第１の実施の形態の包装箱の底面図である。なお、図３（ｂ）以外は板厚を省略して描かれている。
【００１４】
図１及び図２に示すように、本発明の第１の実施の形態の包装箱は、厚紙又はダンボールなどを型抜きした１枚の板状体２９が折り曲げられて４つの側面部を有する筒状体３４に組み立てられる。板状体２９には、折り曲げ部１１と、折り曲げ部１２と、折り曲げ部１３と、折り曲げ部１４と、折り曲げ部１５と、が形成され、折り曲げ部１１を介して互いに隣接する側面部１と側面部２とが形成され、折り曲げ部１２を介して互いに隣接する側面部２と側面部３とが形成され、折り曲げ部１３を介して互いに隣接する側面部３と側面部４とが形成され、折り曲げ部１４を介して互いに隣接する側面部４と接合部５とが形成され、折り曲げ部１５を介して側面部１に隣接する蓋片６、側面部２に隣接する蓋片７、側面部３に隣接する蓋片８、及び側面部４に隣接する蓋片９が形成される。底蓋部１０は蓋片６、蓋片７、蓋片８及び蓋片９により構成される。
【００１５】
さらに、板状体２９は、吊り下げフック穴としての開口部１８及び開口部１９と、切り込み部２０と、折り曲げ部２１と、折り曲げ部２２と、補強部２３と、切り込み部２４と、切り込み部２５と、折り曲げ部２６と、折り曲げ部２７と、係止部２８と、を備える。
【００１６】
開口部１８は、４つの側面部のうちの１つである側面部２の筒状体３４の長さ方向における端部に形成される。開口部１９は、筒状体３４の側面部２に対向する側面部４に、開口部１８に対向するように形成される。
【００１７】
切り込み部２０は、筒状体３４の長さ方向に沿って開口部１８よりも筒状体３４の中心寄りに位置し側面部２の両側に隣接する側面部１側面部３間に渡り側面部２を横切って形成される。折り曲げ部２１は側面部１の幅方向のおよそ半分の位置に形成され、折り曲げ部２２は側面部３の幅方向のおよそ半分の位置に形成される。補強部２３は、折り曲げ部２１、折り曲げ部２２、切り込み部２０及び筒状体３４の縁辺１６により囲まれた部分に形成される。
【００１８】
切り込み部２４及び切り込み部２５は、間隔をおいた一組となって筒状体３４の長さ方向に沿って切り込み部２０よりも筒状体３４の中心寄りに位置し折り曲げ部１２に形成される。折り曲げ部２６は側面部２に形成され、折り曲げ部２７は側面部３に形成される。係止部２８は、折り曲げ部２６、折り曲げ部２７、切り込み部２４及び切り込み部２５により囲まれた部分に形成される。なお、切り込み部２４及び切り込み部２５は、折り曲げ部１１又は折り曲げ部１３に形成してもかまわず、複数の折り曲げ部に設けることもできる。
【００１９】
次に、板状体２９から筒状体３４への組み立て、及び直管形蛍光ランプの収納手順について説明する。先ず、折り曲げ部１１、折り曲げ部１２、折り曲げ部１３及び折り曲げ部１４をそれぞれ直角に折り曲げた後、接合部５を側面部１に接着剤などを使用して接合する。次に、図３（ｃ）に示すように、折り曲げ部１５を直角に折り曲げた後、蓋片６、蓋片７、蓋片８及び蓋片９を順に重ねて噛み合わせ結合させて底蓋部１０を形成する。次に、図３（ａ）及び図３（ｂ）に示すように、折り曲げ部２１及び折り曲げ部２２を軸として、切り込み部２０と筒状体３４の縁辺１６との間の部分である補強部２３を筒状体３４の内側にコの字状に折り込む。補強部２３が側面部１のおよそ半分、側面部４及び側面部３のおよそ半分と重なり、開口部１８及び開口部１９も重なることになるので吊り下げ強度を増大させることができる。
【００２０】
次に、図３（ａ）及び図３（ｂ）に示すように、直管形蛍光ランプ３０のベース３２の端子ピン３３の先端が底蓋部１０に接するまで、直管形蛍光ランプ３０を筒状体３４の上面開口部分から差し込む。次に、切り込み部２４と切り込み部２５との間の部分である係止部２８を筒状体３４の内側に折り込む。このとき、係止部２８の下端部が直管形蛍光ランプ３０のベース３１の上面部に接触し又は近接するように切り込み部２４及び切り込み部２５の位置を決めておくことにより、係止部２８と底蓋部１０とにより筒状体３４内での直管形蛍光ランプ３０の上下移動を抑えることができる。これにより、図２に示すように直管形蛍光ランプ３０の収納が完了する。なお、切り込み部２０と切り込み部２４との間隔、及び切り込み部２４と切り込み部２５との間隔については、直管形蛍光ランプ３０の上下移動を抑えるのに十分な強度が得られるように適宜決めればよい。
【００２１】
以上説明したように、本発明の第１の実施の形態の包装箱によれば、切り込み部２０を形成して補強部２３を側面部１のおよそ半分、側面部４及び側面部３のおよそ半分と重ねる構成とすることにより、図７に示す従来例の包装箱における吊り下げ部１０４に相当する部分が不要となり、板状体２９の長さ方向の採り幅を削減することができるという効果が得られる。また、開口部１８及び開口部１９の横方向の構造が補強部２３による二重のコの字形状となるため、吊り下げ強度が非常に大きくなり、重量物を吊り下げることが可能となるという効果が得られる。
【００２２】
次に本発明の第２の実施の形態の包装箱の構成について図４を参照して説明する。図４は本発明の第２の実施の形態の包装箱の展開図である。
【００２３】
本実施の形態の包装箱の構成と図１から図３までに示す本発明の第１の実施の形態の包装箱の構成との相違部分は、本発明の第１の実施の形態の包装箱における係止部２８の形成する位置を変更した部分のみであり、他の構成部分は同一であるため図４に示す構成と図１から図３までに示す構成との同一構成部分には同一符号を付してその説明を省略する。
【００２４】
図４に示すように、本発明の第２の実施の形態の包装箱は、板状体２９ａから組み立てられ、板状体２９ａは、切り込み部２５ａと、折り曲げ部２６ａと、折り曲げ部２７ａと、係止部２８ａと、を備える。切り込み部２５ａは、筒状体３４の長さ方向に沿って切り込み部２０よりも筒状体３４の中心寄りに位置し折り曲げ部１２に形成される。折り曲げ部２６ａは側面部２に形成され、折り曲げ部２７ａは側面部３に形成される。係止部２８ａは、折り曲げ部２６ａ、折り曲げ部２７ａ、切り込み部２０及び切り込み部２５ａにより囲まれた部分に形成される。なお、切り込み部２５ａは折り曲げ部１１に形成してもかまわず、複数の折り曲げ部に設けることもできる。
【００２５】
そして、直管形蛍光ランプ３０を収納した後、切り込み部２０と切り込み部２５ａとの間の部分である係止部２８ａを筒状体３４の内側に折り込む。このとき、係止部２８ａの下端部が直管形蛍光ランプ３０のベース３１の上面部に接触し又は近接するように切り込み部２５ａの位置を決めておくことにより、筒状体３４内での直管形蛍光ランプ３０の上下移動を抑えることができる。なお、切り込み部２０と切り込み部２５ａとの間隔については、直管形蛍光ランプ３０の上下移動を抑えるのに十分な強度が得られるように適宜決めればよい。
【００２６】
以上説明したように、本発明の第２の実施の形態の包装箱によれば、本発明の第１の実施の形態の包装箱における切り込み部２０と切り込み部２４との間の部分が不要となり、本発明の第１の実施の形態の包装箱よりもさらに板状体２９ａの長さ方向の採り幅を削減することができるという効果が得られる。
【００２７】
次に本発明の第３の実施の形態の包装箱の構成について図５を参照して説明する。図５は本発明の第３の実施の形態の包装箱の展開図である。
【００２８】
本実施の形態の包装箱の構成と図４に示す本発明の第２の実施の形態の包装箱の構成との相違部分は、本発明の第２の実施の形態の包装箱における蓋片６、蓋片７、蓋片８及び蓋片９を削除し、底蓋部１０の代わりとなる係止部３８を追加した部分のみであり、他の構成部分は同一であるため図５に示す構成と図４に示す構成との同一構成部分には同一符号を付してその説明を省略する。
【００２９】
図５に示すように、本発明の第３の実施の形態の包装箱は、板状体２９ｂから組み立てられ、板状体２９ｂは、切り込み部３５と、折り曲げ部３６と、折り曲げ部３７と、係止部３８と、を備える。切り込み部３５は、筒状体３４の長さ方向に沿って開口部１８とは反対側の筒状体３４の端部に位置し折り曲げ部１２に形成される。折り曲げ部３６は側面部２に形成され、折り曲げ部３７は側面部３に形成される。係止部３８は、折り曲げ部３６、折り曲げ部３７、切り込み部３５及び筒状体３４の長さ方向に沿って筒状体３４の縁辺１６とは反対側の縁辺１７により囲まれた部分に形成される。なお、切り込み部３５は、折り曲げ部１１又は折り曲げ部１３に形成してもかまわず、複数の折り曲げ部に設けることもできる。
【００３０】
そして、切り込み部３５と縁辺１７との間の部分である係止部３８を筒状体３４の内側に折り込んだ後、直管形蛍光ランプ３０のベース３２の底面部が係止部３８の上端部に接するまで、直管形蛍光ランプ３０を筒状体３４の上面開口部分から差し込む。直管形蛍光ランプ３０を収納した後、切り込み部２０と切り込み部２５ａとの間の部分である係止部２８ａを筒状体３４の内側に折り込む。このとき、係止部２８ａの下端部が直管形蛍光ランプ３０のベース３１の上面部に接触し又は近接するように切り込み部２５ａの位置を決めておくことにより、係止部２８ａと係止部３８とにより筒状体３４内での直管形蛍光ランプ３０の上下移動を抑えることができる。なお、切り込み部３５と縁辺１７との間隔については、直管形蛍光ランプ３０の重量を支えるとともに上下移動を抑えるのに十分な強度が得られるように適宜決めればよい。
【００３１】
以上説明したように、本発明の第３の実施の形態の包装箱によれば、本発明の第２の実施の形態の包装箱における蓋片６、蓋片７、蓋片８及び蓋片９の部分が不要となり、本発明の第２の実施の形態の包装箱よりもさらに板状体２９ｂの長さ方向の採り幅を削減することができるという効果が得られる。
【００３２】
なお、本発明の実施の形態の説明において直管形蛍光ランプを収納物としたが、他の物品の収納にも利用できることはいうまでもない。
【００３３】
【発明の効果】
本発明による効果は、板状体の長さ方向の採り幅が小さくて済み、吊り下げ強度が増大された包装箱を実現することができることである。
【００３４】
【図面の簡単な説明】
【図１】本発明の第１の実施の形態の包装箱の展開図である。
【図２】本発明の第１の実施の形態の包装箱の斜視図である。
【図３】図３（ａ）は本発明の第１の実施の形態の包装箱の正面図であり、図３（ｂ）は本発明の第１の実施の形態の包装箱の平面図であり、図３（ｃ）は本発明の第１の実施の形態の包装箱の底面図である。
【図４】本発明の第２の実施の形態の包装箱の展開図である。
【図５】本発明の第３の実施の形態の包装箱の展開図である。
【図６】従来例の包装箱の斜視図である。
【図７】従来例の包装箱の部分展開図である。
【符号の説明】
１    側面部
２    側面部
３    側面部
４    側面部
５    接合部
６    蓋片
７    蓋片
８    蓋片
９    蓋片
１０    底蓋部
１１    折り曲げ部
１２    折り曲げ部
１３    折り曲げ部
１４    折り曲げ部
１５    折り曲げ部
１６    縁辺
１７    縁辺
１８    開口部
１９    開口部
２０    切り込み部
２１    折り曲げ部
２２    折り曲げ部
２３    補強部
２４    切り込み部
２５    切り込み部
２５ａ    切り込み部
２６    折り曲げ部
２６ａ    折り曲げ部
２７    折り曲げ部
２７ａ    折り曲げ部
２８    係止部
２８ａ    係止部
２９    板状体
２９ａ    板状体
２９ｂ    板状体
３０    直管形蛍光ランプ
３１    ベース
３２    ベース
３３    端子ピン
３４    筒状体
３５    切り込み部
３６    折り曲げ部
３７    折り曲げ部
３８    係止部
１０１    側面部
１０２    吊り下げ部
１０３    折り曲げ部
１０４    吊り下げ部
１０５    開口部
１０６    開口部
１０７    側面部
１０８    上蓋部
１０９    直管形蛍光ランプ
【図１】
2004175381.tif 000003
【図２】
2004175381.tif 000004
【図３】
2004175381.tif 000005
【図４】
2004175381.tif 000006
【図５】
2004175381.tif 000007
【図６】
2004175381.tif 000008
【図７】
2004175381.tif 000009